【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
コンテンツの第１のページを表示する第１のページ表示領域と前記コンテンツの第２のページを表示する第２のページ表示領域と前記第１および第２のページとは異なるページの存在を示す小口領域とを表示する表示手段と、
前記表示手段に表示された前記第１および第２のページ表示領域と前記小口領域に対するタッチ位置を検出する検出手段と、
前記第１のページ表示領域に対する第１のタッチと前記小口領域に対する第２のタッチとが検出された場合に、前記第１のページは変更せず、前記第２のページ表示領域に表示させるページを前記第２のページから前記第２のタッチの位置に対応するページに変更する変更手段とを有することを特徴とする表示装置。
【請求項２】
前記変更手段は、前記小口領域の１箇所へのタッチが検出された場合に、前記第１および第２のページ表示領域夫々に表示させるページを、前記小口領域へのタッチ位置に対応するページに変更することを特徴とする請求項１に記載の表示装置。
【請求項３】
前記変更手段は、 
前記小口領域に対するタッチ位置の移動が検出された場合に、該タッチ位置の移動に応じて、前記第１および第２のページ表示領域夫々に表示させるページを順次変更することを特徴とする請求項１または２に記載の表示装置。 
【請求項４】
前記小口領域は、 
前記第１のページよりも前のページの存在を示す第１の小口領域と、 
前記第２のページよりも後のページの存在を示す第２の小口領域と、 
を含むことを特徴とする請求項１乃至３のいずれか１項に記載の表示装置。
【請求項５】
前記小口領域は、 
前記第１のページと前記第２のページが連続していない場合にその間のページの存在を示す第３の小口領域とを含むことを特徴とする請求項４に記載の表示装置。 
【請求項６】
前記表示手段は、前記第１および第２のページ表示領域と、前記第１、第２、第３の小口領域を、前記第１の小口領域、前記第１のページ表示領域、前記第３の小口領域、前記第２のページ表示領域、前記第２の小口領域、の並び順で表示することを特徴とする請求項５項に記載の表示装置。 
【請求項７】
前記小口領域は、対応するページ数が多いほど表示サイズが大きくなることを特徴とする請求項１乃至６のいずれか１項に記載の表示装置。 
【請求項８】
前記小口領域は複数の小口ページ領域により構成され、前記複数の小口ページ領域のそれぞれは、前記コンテンツのいずれかのページに対応することを特徴とする請求項１乃至７のいずれか１項に記載の表示装置。 
【請求項９】
前記複数の小口ページ領域のそれぞれは、前記コンテンツにおいて連続する２ページに対応することを特徴とする請求項８に記載の表示装置。 
【請求項１０】
前記表示手段は、前記表示手段により表示される表示領域に対するタッチ操作が検出されない場合に、前記第１および第２のページ表示領域それぞれに前記コンテンツの連続する２ページを表示する、ことを特徴とする請求項１乃至９のいずれか１項に記載の表示装置。 
【請求項１１】
前記表示手段が前記第１のページと前記第２のページが連続していない状態で所定時間を超えて表示している場合に、表示しているページにしおりを付与するしおり付与手段を有することを特徴とする請求項１乃至１０のいずれか１項に記載の表示装置。 
【請求項１２】
前記表示手段は前記しおりを表示し、 
前記変更手段は、前記しおりへのタッチが検出された場合に、前記第１または第２のページ表示領域に表示させるページを、前記しおりに対応するページに変更することを特徴とする請求項１１に記載の表示装置。 
【請求項１３】
前記表示手段における表示モードとして、前記第１および第２のページ表示領域が連動した表示を行う連動モードと、前記第１および第２のページ表示領域が互いに独立した表示を行う独立モードのいずれかを設定する設定手段を有し、 
前記表示手段は、前記検出手段により１箇所のタッチ位置を検出した場合に、前記連動モードが設定されていれば連続する２ページを前記第１および第２の表示領域に表示し、前記独立モードが設定されていれば互いに独立したページを前記第１および第２のページに設定する、ことを特徴とする請求項１乃至１２のいずれか１項に記載の表示装置。
【請求項１４】
前記設定手段は、前記コンテンツの表示中において前記表示モードの設定を変更可能とすることを特徴とする請求項１３に記載の表示装置。 
【請求項１５】
表示装置であって、
コンテンツを表示する表示領域と前記表示領域に表示している前記コンテンツのページとは異なるページの存在を示す小口領域とを表示する表示手段と、
前記表示手段に表示された前記表示領域と前記小口領域に対するタッチ位置を検出する検出手段とを有し、
ユーザのタッチ操作として前記表示領域に対する第１のタッチと前記小口領域に対する第２のタッチとが検出された場合に、前記表示手段は、前記表示領域に前記コンテンツのうちの第１のページを固定して表示する領域と、前記第２のタッチの位置に対応して、前記コンテンツのページを捲って表示する領域とを表示することを特徴とする表示装置。
【請求項１６】
コンテンツの第１のページを表示する第１のページ表示領域と前記コンテンツの第２のページを表示する第２のページ表示領域と前記第１および第２のページとは異なるページの存在を示す小口領域とを表示する表示工程と、
前記表示工程において表示された前記第１および第２のページ表示領域と前記小口領域に対するタッチ位置を検出する検出工程と、
前記第１のページ表示領域に対する第１のタッチと前記小口領域に対する第２のタッチとが検出された場合に、前記第１のページは変更せず、前記第２のページ表示領域に表示させるページを前記第２のページから前記第２のタッチの位置に対応するページに変更する変更工程とを有することを特徴とする表示装置の制御方法。
【請求項１７】
表示装置の制御方法であって、
コンテンツを表示する表示領域と前記表示領域に表示している前記コンテンツのページとは異なるページの存在を示す小口領域とを表示画面に表示する表示工程と、
前記表示画面に表示された前記表示領域と前記小口領域に対するタッチ位置を検出する検出工程とを有し、
ユーザのタッチ操作として前記表示領域に対する第１のタッチ位置と前記小口領域に対する第２のタッチ位置の２箇所へのタッチが検出された場合に、前記表示工程は、前記表示領域に前記コンテンツのうち第１のページを固定して表示する領域と、前記第２のタッチ位置に対応して、前記コンテンツのページを捲って表示する領域とを前記表示画面に表示することを特徴とする表示装置の制御方法。
【請求項１８】
コンピュータ装置で実行されることにより、該コンピュータ装置を請求項１乃至１５のいずれか１項に記載の表示装置の各手段として機能させるためのプログラム。
【手続補正２】
【補正対象書類名】明細書
【補正対象項目名】発明の名称
【補正方法】変更
【補正の内容】
【発明の名称】表示装置及びその制御方法、並びにプログラム
【手続補正３】
【補正対象書類名】明細書
【補正対象項目名】０００１
【補正方法】変更
【補正の内容】
【０００１】
本発明は、複数のページを有する電子文書をページ単位で表示する表示装置及びその制御方法に関する。
【手続補正４】
【補正対象書類名】明細書
【補正対象項目名】０００９
【補正方法】変更
【補正の内容】
【０００９】
すなわち、コンテンツの第１のページを表示する第１のページ表示領域と前記コンテンツの第２のページを表示する第２のページ表示領域と前記第１および第２のページとは異なるページの存在を示す小口領域とを表示する表示手段と、
前記表示手段に表示された前記第１および第２のページ表示領域と前記小口領域に対するタッチ位置を検出する検出手段と、
前記第１のページ表示領域に対する第１のタッチと前記小口領域に対する第２のタッチとが検出された場合に、前記第１のページは変更せず、前記第２のページ表示領域に表示させるページを前記第２のページから前記第２のタッチ位置に対応するページに変更する変更手段とを有することを特徴とする。